【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
少なくとも１つの構造に関連する情報を得るための装置であって、
前記少なくとも１つの構造からの少なくとも１つの第１の電磁放射、及び基準からの少なくとも１つの第２の電磁放射を受信するように構成される少なくとも１つの第１の配列と、
少なくとも１つの前記第１の電磁放射又は前記第２の電磁放射に基づいて、前記少なくとも１つの構造の少なくとも１つの部位からの距離を決定するように構成される少なくとも１つの第２の配列と、を備え、
前記少なくとも１つの第２の配列は、距離の関数として、第３の電磁放射の電磁放射路長を制御するように更に構成され、
前記第３の電磁放射は、
ｉ）前記少なくとも１つの構造から送信又は受信される電磁放射の少なくとも１つ、であるか、又は、
ｉｉ）前記基準から送信又は受信される電磁放射の少なくとも１つ、
の少なくとも１つである、装置。
【請求項２】
前記少なくとも１つの部位は、前記少なくとも１つの構造の表面である、請求項１に記載の装置。
【請求項３】
前記少なくとも１つの第２の配列は、ゼロ次処理、一次導関数処理、二次導関数処理、確率統計関数（例えば標準偏差）の決定、又は、当てはめ処理の、少なくとも１つを用いて、前記距離を決定する、請求項１に記載の装置。
【請求項４】
前記少なくとも１つの構造は、生体構造を含む、請求項１に記載の装置。
【請求項５】
前記少なくとも１つの第２の配列は、（ｉ）前記制御された電磁放射路長に関する前記少なくとも１つの構造に関連する情報を得て、（ｉｉ）前記情報の関数として前記少なくとも１つの部位における少なくとも１つの画像を生成する、請求項１に記載の装置。
【請求項６】
前記少なくとも１つの第２の配列は、前記少なくとも１つの部位の画像が生成されるときに、前記電磁放射路長を制御する、請求項１に記載の装置。
【請求項７】
前記少なくとも１つの第２の配列は、前記少なくとも１つの第１の電磁放射に基づく前記少なくとも１つの部位からの長さを決定するように更に構成され、
ここで、前記少なくとも１つの第２の配列は、
前記少なくとも１つの構造から送信又は受信される少なくとも１つである前記少なくとも１つの第３の電磁放射の少なくとも１つの焦点距離を、前記長さの関数として、制御するように更に構成される、請求項１に記載の装置。
【請求項８】
前記少なくとも１つの第２の配列は、
少なくとも１つの前記第１の電磁放射又は前記第２の電磁放射に基づいて、前記少なくとも１つの部位内における電磁放射の侵入深さを決定するように更に構成され、
ここで、前記少なくとも１つの第２の配列は、前記電磁放射路長の範囲を、前記侵入深さの関数として、制御するように更に構成される、請求項１に記載の装置。
【請求項９】
少なくとも１つの構造に関連する情報を得るための装置であって、
前記少なくとも１つの構造からの少なくとも１つの第１の電磁放射を受信するように構成される少なくとも１つの第１の配列と、
少なくとも１つの前記第１の電磁放射に基づいて、前記少なくとも１つの構造の少なくとも１つの部位からの長さを決定するように構成される少なくとも１つの第２の配列と、を備え、
前記少なくとも１つの第２の配列は、前記長さの関数として、少なくとも１つの第２の電磁放射の少なくとも１つの焦点距離を制御するように更に構成され、
前記第２の電磁放射は、
前記少なくとも１つの構造から送信又は受信される電磁放射の少なくとも１つ、である、装置。
【請求項１０】
前記少なくとも１つの部位は、前記少なくとも１つの構造の表面である、請求項９に記載の装置。
【請求項１１】
前記少なくとも１つの第２の配列は、
前記第１の電磁放射又は基準から受信される第３の電磁放射の少なくとも１つに基づいて、前記少なくとも１つの部位からの距離を決定するように更に構成され、
ここで、
前記少なくとも１つの第２の配列は、前記距離の関数として、前記第２の電磁放射の電磁放射路長を制御するように更に構成され、
前記第２の電磁放射は、
ｉ）前記少なくとも１つの構造から送信又は受信される電磁放射の少なくとも１つ、であるか、又は、
ｉｉ）前記基準から送信又は受信される電磁放射の少なくとも１つ、
の少なくとも１つである、請求項９に記載の装置。
【請求項１２】
前記少なくとも１つの第２の配列は、ゼロ次処理、一次導関数処理、二次導関数処理、確率統計関数（例えば標準偏差）の決定、又は、当てはめ処理の、少なくとも１つを用いて、前記距離を決定する、請求項１１に記載の装置。
【請求項１３】
前記少なくとも１つの構造は、生体構造を含む、請求項９に記載の装置。
【請求項１４】
前記少なくとも１つの第２の配列は、（ｉ）前記制御された電磁放射路長に関する前記少なくとも１つの構造に関連する情報を得て、（ｉｉ）前記情報の関数として前記少なくとも１つの部位における少なくとも１つの画像を生成する、請求項１１に記載の装置。
【請求項１５】
前記少なくとも１つの第２の配列は、前記少なくとも１つの部位の画像が生成されるときに、前記電磁放射路長を制御する、請求項９に記載の装置。
【請求項１６】
前記少なくとも１つの第１の配列は、
基準からの少なくとも１つの第３の電磁放射を受信するように更に構成され、
ここで、前記少なくとも１つの第２の配列は、
前記第１の電磁放射又は前記第３の電磁放射の少なくとも１つに基づいて、前記少なくとも１つの部位からの距離を決定するように構成される、請求項９に記載の装置。
【請求項１７】
前記少なくとも１つの第２の配列は、
少なくとも１つの前記第１の電磁放射又は前記第３の電磁放射に基づいて、前記少なくとも１つの部位内における電磁放射の侵入深さを決定するように更に構成され、
ここで、前記少なくとも１つの第２の配列は、前記電磁放射路長の範囲を、前記侵入深さの関数として、制御するように更に構成される、請求項１１に記載の装置。
【請求項１８】
少なくとも１つの構造に関連する情報を得るための装置であって、
前記少なくとも１つの構造からの少なくとも１つの第１の電磁放射、及び基準からの少なくとも１つの第２の電磁放射を受信するように構成される少なくとも１つの第１の配列と、
少なくとも１つの前記第１の電磁放射又は前記第２の電磁放射に基づいて、少なくとも１つの部位内における電磁放射の侵入深さを決定するように構成される少なくとも１つの第２の配列と、を備え、
ここで、
前記少なくとも１つの第２の配列は、前記侵入深さの関数として、第３の電磁放射の電磁放射路長の範囲を制御するように更に構成され、
前記第３の電磁放射は、
ｉ）前記少なくとも１つの構造から送信又は受信される電磁放射の少なくとも１つ、であるか、又は、
ｉｉ）前記基準から送信又は受信される電磁放射の少なくとも１つ、
の少なくとも１つである、装置。
【請求項１９】
前記少なくとも１つの第２の配列は、
前記第１の電磁放射又は基準から受信される第３の電磁放射の少なくとも１つに基づいて、前記少なくとも１つの部位からの距離を決定するように更に構成され、
ここで、前記少なくとも１つの第２の配列は、前記距離の関数として、前記電磁放射路長を制御するように更に構成される、請求項１８に記載の装置。
【請求項２０】
前記少なくとも１つの第２の配列は、ゼロ次処理、一次導関数処理、二次導関数処理、確率統計関数（例えば標準偏差）の決定、又は、当てはめ処理の、少なくとも１つを用いて、前記距離を決定する、請求項１９に記載の装置。
【請求項２１】
前記少なくとも１つの第２の配列は、（ｉ）前記制御された電磁放射路長に関する前記少なくとも１つの構造に関連する情報を得て、（ｉｉ）前記情報の関数として前記少なくとも１つの部位における少なくとも１つの画像を生成する、請求項１９に記載の装置。
【請求項２２】
前記少なくとも１つの第２の配列は、
少なくとも１つの前記第１の電磁放射又は前記第３の電磁放射に基づいて、前記少なくとも１つの部位内における電磁放射の侵入深さを決定するように更に構成され、
ここで、前記少なくとも１つの第２の配列は、前記電磁放射路長の範囲を、前記侵入深さの関数として、制御するように更に構成される、請求項１９に記載の装置。
【請求項２３】
前記少なくとも１つの構造は、生体構造を含む、請求項１８に記載の装置。
【請求項２４】
前記少なくとも１つの第２の配列は、前記少なくとも１つの部位の画像が生成されるときに、前記電磁放射路長を制御する、請求項１８に記載の装置。
【請求項２５】
前記少なくとも１つの第２の配列は、
少なくとも１つの前記第１の電磁放射又は前記第２の電磁放射に基づいて、前記少なくとも１つの部位からの前記距離を決定するように更に構成される、請求項１８に記載の装置。
【請求項２６】
前記少なくとも１つの第２の配列は、前記少なくとも１つの第１の電磁放射に基づく前記少なくとも１つの部位からの長さを決定するように更に構成され、
ここで、前記少なくとも１つの第２の配列は、
前記少なくとも１つの構造から送信又は受信される少なくとも１つである前記少なくとも１つの第３の電磁放射の少なくとも１つの焦点距離を、前記長さの関数として、制御するように更に構成される、請求項１８に記載の装置。
【請求項２７】
前記少なくとも１つの部位は、前記少なくとも１つの構造の表面である、請求項１８に記載の装置。
【請求項２８】
少なくとも１つの構造に関連する情報を得るための方法であって、
前記少なくとも１つの構造からの少なくとも１つの第１の電磁放射、及び基準からの少なくとも１つの第２の電磁放射を受信すること、
少なくとも１つの前記第１の電磁放射又は前記第２の電磁放射に基づいて、前記少なくとも１つの構造の少なくとも１つの部位からの距離を決定すること、を含み、
前記距離の関数として、第３の電磁放射の電磁放射路長を制御こと、を更に含み、
前記第３の電磁放射は、
ｉ）前記少なくとも１つの構造から送信又は受信される電磁放射の少なくとも１つ、であるか、又は、
ｉｉ）前記基準から送信又は受信される電磁放射の少なくとも１つ、
の少なくとも１つである、方法。
【請求項２９】
少なくとも１つの構造に関連する情報を得るための方法であって、
前記少なくとも１つの構造からの少なくとも１つの第１の電磁放射を受信すること、
少なくとも１つの前記第１の電磁放射に基づいて、前記少なくとも１つの構造の少なくとも１つの部位からの長さを決定すること、
前記長さの関数として、少なくとも１つの第２の電磁放射の少なくとも１つの焦点距離を制御こと、を含み、
前記第２の電磁放射は、
前記少なくとも１つの構造から送信又は受信される電磁放射の少なくとも１つ、である、方法。
【請求項３０】
少なくとも１つの構造に関連する情報を得るための方法であって、
前記少なくとも１つの構造からの少なくとも１つの第１の電磁放射、及び基準からの少なくとも１つの第２の電磁放射を受信すること、
少なくとも１つの前記第１の電磁放射又は前記第２の電磁放射に基づいて、少なくとも１つの部位内における電磁放射の侵入深さを決定すること、
前記侵入深さの関数として、第３の電磁放射の電磁放射路長の範囲を制御すること、を含み、  前記第３の電磁放射は、
ｉ）前記少なくとも１つの構造から送信又は受信される電磁放射の少なくとも１つ、であるか、又は、
ｉｉ）前記基準から送信又は受信される電磁放射の少なくとも１つ、
の少なくとも１つである、方法。